Podtech/llm-jp-corpus-v4-ja_patent huggingface dataset:
(57)【要約】【課題】  本考案は、個室型の農業用ＰＥＴハウス下部先端の外周に設けた側溝を完全に地中に埋設して、例えば樹木の根の役目を果たし、台風やその他の自然災害等からＰＥＴハウス本体の倒壊や飛散を防止する。【解決手段】  本考案は、個室型の農業用ＰＥＴハウス１の下部先端外周の側溝２が完全に地中に埋まるように垂直に設置して、台風やその他の自然災害等で倒壊や破損、飛散を防止することで、その中で栽培される農作物１２を前述の自然災害等や有害鳥獣虫等からの被害防止に役立つ。【選択図】図５
0003139326.tif 000002
【実用新案登録請求の範囲】
【請求項１】
透明なＰＥＴ素材で形成する上部が半球形の筒状で、本体下部先端の外周に設けた側溝を完全に地中に埋めるように設置することによって、例ば樹木の根の役目を果たし、台風やその他の自然災害からその本体の倒壊や飛散を防止するとともに、その中で栽培する農作物、例えばバナナやを前述の台風やその他の自然災害、又は有害鳥獣虫等からの被害を防止するところを特徴とする個室型の農業用のＰＥＴハウス。
【考案の詳細な説明】
【技術・分野】
【０００１】  本考案は透明なＰＥＴ素材で形成する、上部が半球形の筒状の本体の側面に複数の窓と出入口を装着するとともに、本体下部先端の外周に側溝を設けた個室型の農業用ＰＥＴハウスに関するものである。
【背景の技術】
【０００２】  従来は、背丈のやや高い農作物、例ばバナナやパパイヤ等は、露地栽培が主流であった。そのため、台風が襲来すると直接暴風雨に曝されて壊滅的な被害を被るのが常であった。
【考案の開示】
【考案が解決しようとする課題】
【０００３】  近年は、鉄骨ビニールハウスが導入されてそれなりの成果は上げつつも、ビニールハウスの建設、又は建設後の維持管理には経済的、時間的、労働的負担が大である。従って、本考案は、既に形もＰＥＴ素材で形成されているため、ほ場での設置作業の際も、高所での作業や重機等を必要とせず短時間での設置作業が可能である。また、ビニールに比べて強度も強く、構造も簡単であることから、台風襲来時でも破損や倒壊の恐れがなくなった等、前述の欠点を解決しようとするものである。
【課題を解決するための手段】
【０００４】  本考案は、透明なＰＥＴ素材で形成する個室型の農業用のＰＥＴハウスで、本体上部が半球形の筒状で本体下部先端の外周に側溝を設けて、ほ場に設置する際は、側溝が完全に地中に埋まる様に垂直に設置する。地中に埋まった側溝が例えば、樹木の根の役目を果たし、台風時の暴風雨やその他の自然災害等から倒壊や破損、飛散することを防止する。また、有害鳥獣虫等からも本体内部で栽培する農作物の被害を防止することで問題を解決している。
【考案の効果】
【０００５】  上述の様に本考案の個室型の農業用ＰＥＴハウスは、ビニールハウスの機能を維持し、農作物を栽培することは勿論主眼とするところだが、その形状からして暴風雨がどこの方向から吹いても風を受ける面は、ビニールハウスが平面に対し本考案はアーチ状になるため強度は増す。そのうえ、本体下部先端の外周に設けた側溝は地中に完全に埋って設置されているため、暴風雨での倒壊、飛散防止に役立つ。
【考案の実施するための最良の形態】
【０００６】  個室型の農業用ＰＥＴハウス本体を垂直にして、本体下部先端外周の側溝が完全に地中に埋る様に設置し、本体の倒壊、飛散を防止する。本体側面に装着した出入口と通気孔用の窓は大きさは違うものの、同一の構造であり、出入口又は窓の先端外周に施したネジ講と蓋の内側先端に施したネジ講が互いに噛み合って蓋の回転によって開閉自在となる。窓の内側には、細目の網を装着して有害鳥獣虫等の侵入を防止する。以上のようにして、個室型の農業用ＰＥＴハウスの内部で栽培する農作物は、あらゆる自然災害又は有害鳥獣虫等からの被害を防止することが出来る。
【実施例】
【０００７】  以下、添付図面に従って実施例を説明する。１は、透明なＰＥＴ素材で形成する個室型の農作業用ＰＥＴハウス本体。２は、側溝を完全に地中に埋設することによって、台風時の暴風雨等からの倒壊、飛散を防止する。３は、本体側面に装着した出入口で、その先端外周に施したネジ講４と、相する蓋５の内側に施したネジ講６が互いに噛み合い、蓋５の回転によって開閉自在となる。７は、本体側面に複数装着した通気孔用の窓で、先端外周に施したネジ講８と相する蓋９の先端内側に施したネジ講１０を互いに噛み合わせ、蓋９が回転することによって開閉自在となる。１１は、有害鳥獣虫等の侵入を防止するための網である。１２は、本体内部で栽培する農作物、例えばパパイヤの樹木である。【０００８】  本考案の一実施例は、上述の如き構成からなるものであるから、１個室型の農業用ＰＥＴハウス内での農作物１２を栽培することは勿論主眼とするところであるが、本考案は、構造も簡単で軽量なＰＥＴ素材で形成されるため、農作物の収穫後に一時撤去して土作り作業、例えば深耕・施肥作業等が大型農耕機の使用が可能なため、その作業時間を大幅に短縮し、再び設置することが容易なところが利点でもある。
【図面の簡単な説明】
【０００９】
【図１】本考案の個室型の農業用ＰＥＴハウスの正面図である。
【図２】本考案の平面図である。
【図３】本考案の一部切欠断面図である。
【図４】本考案の一部切欠断面図である。
【図５】本考案の一実施例を示す正面図である。
【符号の説明】
【００１０】１個室型の農業用ＰＥＴハウス  本体
２側溝
３出入口
４出入口のネジ講
５出入口の蓋
６出入口の蓋のネジ講
７窓
８窓のネジ講
９窓の蓋
１０窓の蓋のネジ講
１１窓の内側に装着した網
１２農作物  例えばパパイヤの樹木
【図１】
0003139326.tif 000003
【図２】
0003139326.tif 000004
【図３】
0003139326.tif 000005
【図４】
0003139326.tif 000006
【図５】
0003139326.tif 000007
(57)【要約】      （修正有）【課題】野球場、陸上競技場等のフェンスの緩衝性を高め激突等による安全性を高め、しかも美観よく仕上げる。【解決手段】壁体１１に取り付ける緩衝部材であって、頂面部２と壁面部１とを一体とし、頂面部２と壁面部１の境界の壁体側取付け面に屈曲用凹部３を形成したことを特徴とする壁面緩衝部材である。【選択図】図２
0003139354.tif 000002
【実用新案登録請求の範囲】
【請求項１】
壁面に取り付ける緩衝部材であって、頂面部と壁面部とを一体とし、頂面部と壁面部の境界の壁面側取付け面に屈曲用凹部を形成したことを特徴とする壁面緩衝部材。
【請求項２】
上記緩衝部材の壁面側取付け面に、通気用溝を面方向に形成した請求項１記載の壁面緩衝部材。
【請求項３】
頂面部と壁面部下端に面取りを施した請求項１又は２のいずれかに記載の壁面緩衝部材。
【請求項４】
壁面部を頂面部の両側に一体化した請求項１〜３のいずれかに記載の壁面緩衝部材。
【考案の詳細な説明】
【技術分野】
【０００１】
この考案は競技場、野球場等の耐衝撃緩衝壁面の施工に有用な緩衝部材に関する。さらに詳しくは、施工を容易にし、仕上がり外観を良好にする緩衝部材に関する。
【背景技術】
【０００２】
近年、野球場、陸上競技場、テニスコート場、さらには屋内体育館等のフェンスは、競技者や観覧者の安全のために、緩衝機能を持たせたものが提案され、数多く施工されている。
（参考文献１参照）
対象壁面に緩衝部材を貼り付けるには、簡単なものは、図４に示す如く、一体の緩衝部材１０の平板の一端を壁体１１の頂面１２に貼り付け、そのまま壁体の壁面１３に沿って折り曲げて、該壁面１３緩衝部材１０の残部を貼り付ける。このようにすると、どうしても頂面１２と壁面１３との角部の緩衝部材１０の曲がり角にしわ１７がより、見栄えを悪くする。
【０００３】
そこで、図５に示すごとく、緩衝部材を頂面部材１４、壁面部材１５、下部材１６にわけてつくり、それぞれ別々に壁体１１に貼り付けることが行われている。この場合は緩衝部材の貼り付け施工は比較的簡単にすることができるが、貼り付け後、表面に吹き付け仕上げ塗装をすると、各部材の継ぎ目に塗装ムラができやすく、仕上がりの美観に欠ける。
【０００４】
また、頂面部を折り曲げた形で壁面部と一体成型した緩衝部材を用いて施工することも考えられるが、このような立体的な緩衝部材の成形は、成形上の困難があり、実用的でない。
【特許文献１】特許第３４３９８４１号公報
【考案の開示】
【考案が解決しようとする課題】
【０００５】
野球場、陸上競技場等のフェンスの緩衝性を高め激突等による安全性を高め、しかも美観よく仕上げることを課題とする。
【課題を解決するための手段】
【０００６】
この考案は上記課題を解決するためになされたもので、
下記（１）〜（４）の構成よりなる。
（１）壁面に取り付ける緩衝部材であって、頂面部と壁面部とを一体とし、頂面部と壁面部の境界の壁面側取付け面に屈曲用凹部を形成したことを特徴とする壁面緩衝部材。
（２）上記緩衝部材の壁面側取付け面に、通気用溝を面方向に形成した前記（１）記載の壁面緩衝部材。
（３）頂面部と壁面部下端に面取りを施した前記（１）又は（２）のいずれかに記載の壁面緩衝部材。
（４）壁面部を頂面部の両側に一体化した前記（１）〜（３）のいずれかに記載の壁面緩衝部材。
【０００７】
上記屈曲用凹部はほぼ直角を山として、壁面部と頂面部の境界に沿って、緩衝部材を三角形に切り取って形成された形状である。
また、緩衝部材の壁面側取付け面の通気用溝は、縦方向に複数本、あるいはさらに横方法に複数本任意に設けることができる。この溝は、施工時における接着剤の蒸気、あるいは膨張空気の逃げ道となり、緩衝部材が壁面に対して接着不良となることを防止すること
ができる。したがって、壁面に接着後の緩衝部材表面の凹凸をなくし、表面塗装層の美麗な仕上がりを提供できる。
【０００８】
頂面部及び壁面部下端の面取りは、緩衝部材の角ばった印象をなくし、美麗な仕上がりに寄与する。
壁面部を頂面部の両側に配することにより、対象壁面の両面を同時に耐緩衝性にすることができる。
なお、この考案の壁面緩衝部材壁面に取付けた後は、周知の例えば硬化性ウレタン吹き付け材を周知のスプレー機を用いて表面仕上げ塗装をする。
【考案の効果】
【０００９】
この考案によれば、衝突による危険を伴う競技場のフェンス等に貼り付けることによって、その危険を排除することができる。そして、貼り付け作業を容易にするとともに、表面塗装面の仕上がりを美麗に保つことができる。
【考案を実施するための最良の形態】
【００１０】
以下に、この考案の実施例を図面に基づいて説明する。これらの例は代表例であって、この考案を限定するものではない。
図１は、緩衝部材のＡ．正面図、Ｂ．左側面図（右側面図は対照）、Ｃ．底面図（上面図は対照）である。１は壁面部、２は頂面部、３は屈曲用凹部、４は面取り部、５は通気用縦溝、６は通気性横溝である。
【００１１】
面取り部はなくても良いが、デザイン上、安全上設けた方が好ましい。その形状は平面的にカットしても良いし、曲面状にカットしても良い。
通気用溝５，６は壁面への貼り付け工事中に発生する空気膨張、接着剤蒸気を逃すために有効である。これらが貼着面に残ると貼着された緩衝部材の表面に凹凸が発生し、塗装仕上げした時に美観を損なう。
【００１２】
図２は図１に示すこの考案の緩衝部材を壁面１１に貼り付けた状態を示す。頂面部２の寸法は屈曲用凹部３が工場生産時にすべて均一に仕上げられているので、施工時に壁体に正確に配置され、これを順次並列に並べても、整然と配列される。また、通気用溝により、施工後の表面の凹凸も解消されているので、スプレー機Ｓにより施工後の表面全体に渡って一度に塗装しても、塗装ムラが発生せず、均一な表面層が得られる。
【００１３】
図３は他の実施例で、壁１１の両面に緩衝部材を同時に貼り付ける場合を示す。すなわち、頂面部２の両側に一体に形成された壁面部材３をコ字形にして、壁体１１の頂面にまたがらせ、頂面部２とともに、両面の壁面部材３を同時に壁体１１に貼り付けることができるので、効率的である。
【産業上の利用可能性】
【００１４】
この考案は、野球場、テニスコート、屋外競技場、屋内競技施設ばかりでなく、学校、保育園、老人施設等人が多く集まる施設の中で、衝突して怪我をしやすい場所を保護するのに有効である。
【図面の簡単な説明】
【００１５】
【図１】この考案の実施の一例を示し、（Ａ）は正面図、（Ｂ）は左（右）側面図、（Ｃ）は左（右）側面図、（Ｄ）は底（上）面図である。
【図２】図１の例の施工の説明図である。
【図３】この考案の他の実施例の説明図を示す。
【図４】従来の施工例の説明図を示す。
【図５】従来の他の施工例の説明図を示す。
【符号の説明】
【００１６】
１      壁面部
２      頂面部
３      屈曲用溝
４      面取り部
５      通気用縦溝
６      通気用横溝
１１      壁体
Ｓ      スプレー
【図１】
0003139354.tif 000003
【図２】
0003139354.tif 000004
【図３】
0003139354.tif 000005
【図４】
0003139354.tif 000006
【図５】
0003139354.tif 000007
(57)【要約】      （修正有）【課題】特に、夏季の着帽時における暑さの緩和を図り、頭部に対するすべり部材の密着感及び汗による不快感の緩和を図った官帽を提供する。【解決手段】穴あき板からなる腰枠１の外側面が通気性を有する素材３で覆われ、前記腰枠１の内側面に設けたすべり部材５に多数の透孔６を設けた官帽、好ましくは、前記すべり部材５が発泡ウレタンと該発泡ウレタンの両側面を覆う合成樹脂シートからなり、形成された前記透孔６の周囲がそれぞれ高周波溶着Ｗされてなり、さらに好ましくは、前記腰枠１の穴２と前記すべり部材５の透孔６の位置を適合させてなる官帽。【選択図】図１
0003139125.tif 000002
【実用新案登録請求の範囲】
【請求項１】
穴あき板からなる腰枠の外側面が通気性を有する素材で覆われ、前記腰枠の内側面に設けたすべり部材に多数の透孔を設けたことを特徴とする官帽。
【請求項２】
前記すべり部材が発砲ウレタンと該発泡ウレタンの両側面を覆う合成樹脂シートからなり、前記形成された多数の透孔の周囲がそれぞれ高周波溶着されてなることを特徴とする請求項１に記載の官帽。
【請求項３】
前記腰枠の穴と前記すべり部材の透孔の位置を適合させたことを特徴とする請求項１又は２に記載の官帽。
【考案の詳細な説明】
【技術分野】
【０００１】
本考案は、警察官、交通機関に従事する者などが着用する帽子、いわゆる官帽に関する。
【背景技術】
【０００２】
従来提供されているこの種の帽子は、側芯（以下「腰枠」という。）の外側面及び天部分が布地で覆われ、前記腰枠の内側面に通気性を有しない汗止め（以下「すべり部材」という。）を設けて構成されている（特許文献１）。
【特許文献１】特開２００５−３４４２３６号公報
【考案の開示】
【考案が解決しようとする課題】
【０００３】
前記従来の官帽は、着帽時に、前記通気性を有しないすべり部材が頭部の周囲に密着し、特に、夏季の着帽時には暑さとともに汗による不快感を味わうものであった。
【０００４】
そこで天部、その他、全体を通気性の素材で構成することが行なわれているが、すべり部材はそのままであり、夏季の暑さを凌ぎ、また、汗による不快感を消し去ることができなかった。
【０００５】
本考案は、前記事情に鑑みなされたもので、特に、夏季の着帽時における暑さの緩和を図るとともに、頭部に対する前記すべり部材の密着感及び汗による不快感の緩和を図った官帽を提供することを目的とする。
【課題を解決するための手段】
【０００６】
前記目的達成のために、本考案にかかる官帽は、穴あき板からなる腰枠の外側面が通気性を有する素材で覆われ、前記腰枠の内側面に設けたすべり部材に多数の透孔を設けたことを特徴とする（請求項１）。
【０００７】
前記本考案によれば、前記すべり部材に設けられた多数の透孔により、前記すべり部材、腰枠及びその外周を覆う通気性を有する素材間の通気性が確保され、着帽時の暑さの緩和が図られるとともに、着帽時における頭部に対する前記すべり部材の密着感及び汗による不快感の緩和が図られるものである。
【０００８】
本考案の実施の一形態は、前記すべり部材が発泡ウレタンと該発泡ウレタンの両側面を覆う合成樹脂シートからなり、前記形成された多数の透孔の周囲がそれぞれ高周波溶着されてなることを特徴とする（請求項２）。
【０００９】
この実施の一形態によれば、前記のごとく、多数の透孔の形成により前記すべり部材の頭部に対する密着感が緩和されるとともに、使用を継続した場合でも前記それぞれの透孔の内周部の解けが防止される。また、その結果として、発泡ウレタンへの汗の含浸が防止される。
【００１０】
本考案の他の実施の一形態は、前記腰枠の穴と前記すべり部材の透孔の位置を適合させたことを特徴とする（請求項３）。
【００１１】
この実施の一形態によれば、前記すべり部材、腰枠及びその外周の通気性を有する素材間の通気性が一段と向上させられる。もっとも、本考案は、前記腰枠として穴あき板が使用され、前記すべり部材には多数の透孔を設けた構成であるから、必ずしも前記すべり部材と腰枠の透孔を完全に一致させる必要はなく、着帽時には、それぞれ透孔が自然に多数適合させられるものである。
【考案の効果】
【００１２】
本考案によれば、特に、夏季の着帽時における暑さの緩和を図ることができるとともに、頭部に対するすべり部材の密着感及び汗による不快感を緩和することができる。
【考案を実施するための最良の形態】
【００１３】
以下、本考案の実施の一形態を、図面を参照して説明する。図１は、官帽の一部切欠側面図、図２は、要部の拡大断面図、図３は、好ましいすべり部材の拡大正面図、図４は、図３のＩＩＩ―ＩＩＩ線拡大断面図である。
【００１４】
図中、１は、穴あき板からなる腰枠であり、硬質の合成樹脂板を環状に折曲げて形成され、適宜形状の穴２が多数設けられている。３は、前記腰枠１の外側面を覆う通気性、さらには、耐水性を有する素材（以下「通気性素材」という。）であり、図面実施例では、前記腰枠１の外側面から天部４にまで一体に設けられている。
【００１５】
５は、前記腰枠１の内側面に設けたすべり部材であり、適宜形状の多数の透孔６が形成されている。また、図中、７は、前記天部４の全体を拡張及び整形する整形枠であり、例えば、コイルスプリングのごとき弾性素材からなり、前記天部４に円形に配設されている。なお、図中、８は、ひさし、９は、長さ調整自在のあご紐である。
【００１６】
図３及び図４には、好ましいすべり部材５の詳細が示されている。同図に示す、すべり部材５は、帯状の発泡ウレタン１０の両側面を、例えば、ナイロン（登録商標）等の合成樹脂シート１１で覆ってなり、そこに形成され多数の前記透孔６の周囲がそれぞれ高周波溶着Ｗされている。
【００１７】
前記構成の本考案では、好ましくは、図２に示すように、前記腰枠１の穴２と前記すべり部材５の透孔６の位置が適合させられる。その結果、前記すべり部材５、腰枠１及び該腰枠１の外側面を覆う通気性素材３部分の通気性が一段と向上させられる。夏季の着帽時における暑さの緩和が図られるとともに、頭部に対するすべり部材の密着感及び汗による不快感を緩和することができる。
【図面の簡単な説明】
【００１８】
【図１】本考案の実施の一形態に係る官帽の一部切欠側面図である。
【図２】本考案の実施の一形態に係る官帽の要部の拡大断面図である。
【図３】好ましいすべり部材の拡大正面図である。
【図４】図３のＩＩＩ―ＩＩＩ線断面図である。
【符号の説明】
【００１９】
１    腰枠
２    穴
３    通気性素材
４    天部
５    すべり部材
６    透孔
１０  発泡ウレタン
１１  合成樹脂シート
１２  高周波溶着
【図１】
0003139125.tif 000003
【図２】
0003139125.tif 000004
【図３】
0003139125.tif 000005
【図４】
0003139125.tif 000006
(57)【要約】【課題】 本考案は、金箔を吸着した顔用マスクに係り、さらに詳しくは扱い難い金箔を弱粘性の台紙に吸着させ、顔型のマスクを形成し、使用者が簡易に金箔を顔面に転移させることが出来る顔用マスクを提供せんとするものである。【解決手段】純金を、顔面を覆うことができる程度の大きさの箔に成形した後、台紙に吸着させ、マスク状に形成したことを特徴とする。【選択図】 図２
0003139140.tif 000002
【実用新案登録請求の範囲】
【請求項１】
純金を、顔面を覆うことができる程度の大きさの箔に成形した後、台紙に弱粘性の接着料を塗布し吸着させ、目部相当位置と鼻部相当位置に孔を開けたり周縁部の適所に切込みを入れたマスク状に形成したことを特徴とした顔用シート。
【考案の詳細な説明】
【技術分野】
【０００１】
本考案は、金箔を吸着した顔用シートに係り、さらに詳しくは扱い難い金箔を弱粘性の台紙に吸着させ、顔型のマスクを形成し、使用者が簡易に金箔を顔面に転移させることが出来る顔用シートに関するものである。
【背景技術】
【０００２】
従来、定型の断切金箔を分割した物を、顔に簡単かつ長時間に亘り転移する目的で、台紙と接着料からなるシート状物に金箔を吸着させ、それを包装してなる金箔が市販されている。
【０００３】
このシート状物は、専門知識を持たない使用者が簡易に扱えるよう台紙に金箔を吸着し、顔の立体面に即して金箔が転移するように、三寸六分角の金箔を吸着させたシートを四分割乃至六分割し、シートの使用性を向上させていた。
【０００４】
【特許文献１】実開０４−３３６２８号
【特許文献２】特開２０００−２２９０１３号
【考案の開示】
【考案が解決しようとする課題】
【０００５】
上記特許文献１及び２に記載された金箔を利用した装着用金箔の積層体は金箔の定型と言われている三寸六分角をさらに分割した大きさのため、使用者にとって、何度も転移作業を行わなくてはならないという問題点があった。
【０００６】
本考案は、上記の問題点を解消して、一度の作業で顔全体に金箔を転移させる顔用シートを提供せんとするものである。
【課題を解決するための手段】
【０００７】
上記目的を達成するために、請求項１記載の考案は、純金を、顔面を覆うことができる程度の大きさの箔に成形した後、台紙に弱粘性の接着料を塗布し金箔を吸着させ、目部相当位置と鼻部相当位置に孔を開けたり、周縁部の適所に切込みを入れたマスク状に形成したことを特徴とした顔用シートである。
【考案の効果】
【０００８】
以上述べたように、請求項１の金箔を吸着した顔用シートによれば、一度の作業で顔全体に金箔が転移するという効果がある。
【考案を実施するための最良の形態】
【０００９】
次に本考案の形態を図面に基づいて詳説する。
図１は本考案の形態を示す側面図金、図２は顔用マスクの一実施の形態を示す正面図である。
【００１０】
図1において、本考案の積層体１は２層から成り、上部から金箔２、補強シート３で構成される。
そして、必要により金箔２と補強シート３の間に吸着剤層４で構成される
【００１１】
金箔２は通常１乃至１００μmの厚さのものが多く使用される。
しかし、この範囲外であっても作用効果に影響を与えるものでなく、大きさや形状と共に使用目的に合わせて設定すれば良い。
【００１２】
補強シート３は紙、布などが好ましく、特に紙は箔打ちに用いた紙を介そうした状態で利用でき、特に和紙は金箔との相性も良く好適で好都合である。
金箔２の伸張を維持し顔面への押し当てに対しても補強材としての作用をなすものであるから金箔２との一体性が望まれ、静電気での吸着が期待できない場合、接着のため吸着剤層４を設けることも出来る。
【００１３】
吸着剤層４は接着力が強固であると却って支障があり、金箔２を当着した後は金箔２から剥がして分離するものであるため、石油系ワックス、合成ワックス、植物系蝋、動物系蝋のような接着力の弱いものが好ましい。
【００１４】
図２は積層体１から構成され、その大きさや形状は顔部を覆う事が出来る程度とし、顔の輪郭に合わせた楕円形とし、かつ目及び口の対応部に窓孔５・６を形成し、また鼻部に切り込み７を、周縁部に切り込み８を形成したものである。
【図面の簡単な説明】
【００１５】
【図１】考案の形態を示す側面図である。
【図２】顔用シートの一実施の形態を示す正面図である
【符号の説明】
【００１６】
１…積層体
２…補強シート
３…吸着剤層
４…金箔
５、６…窓孔
７、８…切り込み
【図１】
0003139140.tif 000003
【図２】
0003139140.tif 000004
(57)【要約】    【課題】    本考案は、海等にて釣りを行なう際に利用する釣り舟が流されることのないように固定するための釣り舟用固定具で、取り付け取り外しが簡単であって使用中に外れることがなく確実に固定し得る構成にする。    【解決手段】    コの字状のロープへの掛け金具とコの字状の釣り舟への固定金具と、両金具を結ぶスプリングとよりなり、コの字状の釣り舟への固定金具をその開口部分の間隔が、釣り舟の縁の厚さとほぼ同じ又は若干大にして釣り舟の縁に嵌合して釣り舟をロープに保持、固定する。【選択図】            図１
0003139106.tif 000002
【実用新案登録請求の範囲】
【請求項１】
コの字状のロープ用掛け金具とコの字状の釣り舟への固定金具と、両金具を連結するスプリングとよりなり、前記ロープ用掛け金具をロープに掛けた上で前記固定金具を釣り舟の縁に嵌合させることにより、釣り舟の移動を阻止するようにした釣り舟用固定具。
【請求項２】
前記コの字状のロープ用掛け金具がロープの太さとほぼ等しい開口を有する形状を有し、前記コの字状の釣り舟への固定金具が釣り舟の縁の幅よりも若干大きな開口を有し、前記開口の両サイドのうち少なくとも一方が比較的長いコの字状を有することを特徴とする請求項１の釣り舟用固定具。
【請求項３】
前記釣り舟への固定金具のコの字状のうちの開口とは反対側に握り部を設けたことを特徴とする請求項１又は２の釣り舟用固定具。
【考案の詳細な説明】
【技術分野】
【０００１】
本考案は、海等で釣り舟を利用して釣りを行なう際に用いる釣り舟用固定具に関するものである。
【背景技術】
【０００２】
海等において釣り舟（ボート）にて釣りを行なう場合、舟が流れ等によって流されないように保持する必要がある。そのため釣り場では水中にロープが張られており、このロープを利用して釣り舟を固定、保持するようにしている。
【０００３】
この釣り舟のロープへの固定手段として、従来は先端にロープに掛ける掛け金具を取り付けた固定具を用い、この掛け金具をロープに掛けた上で、他端を釣り舟内の適宜箇所に縛りつける方法が一般的であった。
【０００４】
この固定手段は、釣り舟への縛りつける場所の選定や、確実に固定するための操作も面倒である等の欠点があった。
【考案の開示】
【考案が解決しようとする課題】
【０００５】
本考案は、従来の方法と同様にその先端をロープに掛けると共に、他端を釣り舟に固定することが極めて簡単であって、取り付け後には簡単には外れない釣り舟用固定具を提供するものである。
【課題を解決するための手段】
【０００６】
本考案の釣り舟用固定具は、釣り場に張られたロープに掛けるためのコの字状のロープ用掛け金具と、釣り舟に固定するためのコの字状の固定金具と、両金具を連結するスプリングとよりなり、掛け金具をロープに掛けた上でコの字状の固定金具を釣り舟の縁に嵌合させることにより、釣り舟が流されないように固定、保持するものである。
【考案の効果】
【０００７】
本考案の釣り舟用固定金具は、先端の掛け金具をロープに掛けると共に固定金具を釣り舟の縁に嵌合させるという極めて簡単な手段にて釣り舟を固定保持し得るという効果を有する。
【考案を実施するための最良の形態】
【０００８】
本考案の実施の形態を、図示する実施例にもとづいて説明する。
【実施例１】
【０００９】
本考案の釣り舟用固定具の実施例１は、図１に示す通りの構成である。
【００１０】
即ち、例えばコの字状をした金属部材よりなるロープ用掛け金具１と同様にコの字状の金属よりなる釣り舟への固定金具２と、両金具を連結するスプリング３とより構成されている。
【００１１】
ここでロープ用の掛け金具１は、図における間隔ｔ１つまりコの字状の開口部分にあたる長さは、ロープの太さ又はそれより若干大であり、又、ｔ２はロープの太さよりも大であり、ｔ３は、ｔ２よりも更に大であるように長さが設定されている。
【００１２】
又、釣り舟への固定金具２は、幅ｔ４つまりコの字状の金具の開口に相当する側の長さが釣り舟の縁部分の幅より若干長く又、ｔ５はｔ４とほぼ等しい長さに、又ｔ６はｔ５のほぼ半分あるいは半分よりも若干短い値に設定されている。更にスプリング３は、ロープから釣り舟の縁までの距離を基準にして設定され、特に釣り舟が移動しない適切な長さに設定されている。尚、このスプリングは所定の長さの一つのスプリングでもよく、あるいは複数のスプリングをつなぎ合わせた複数スプリングで全体の長さが所定の長さになるようにしてもよい。又、スプリング以外の金属製ワイヤーや、スプリングとワイヤー等を連結して所定の長さとしたものでもよい。
【００１３】
又、釣り舟への固定具２には、コの字状の背の部分（開口とは反対側）２ａに握り部４が設けられている。
【００１４】
次に、図１に示す本考案の釣り舟用固定具を用いての釣り舟をロープに固定、保持するための手段について述べる。
【００１５】
まず、ロープへの掛け金具１をロープへ掛けて取り付けた後に、反対側の釣り舟への固定金具２を釣り舟の縁に取り付ける。つまり握り部４を利用して、固定金具２をその開口部分２ｂを舟の縁の部分に上方より挿入し、固定金具２を縁に嵌合させる。
【００１６】
これにより、釣り舟は本考案の釣り舟用固定具によりロープに保持される。
ここで、本考案の釣り舟用固定具は、その釣り舟への固定金具２の開口２ｂの間隔ｔ４が、釣り舟の縁の幅（厚み）より若干大になっているので、簡単に挿入、嵌合し得る。しかも、この固定金具２はコの字状をなすため、スプリング３を介してこの固定金具２へ例えば斜めの力が加わっても固定金具２の両サイド２ｃ、２ｄの先端が舟の縁にくい込む方向に作用し、外れることは全くない。
【００１７】
又、本考案の釣り舟用固定具は、その固定金具を舟の縁より抜き取ることによって、簡単に取り外すことが可能である。
【００１８】
図２は、本考案の釣り舟用固定具を実際に用いている時の写真である。
【００１９】
この図２のように、釣り舟１０の縁１１の部分に、本考案の釣り舟用固定具の固定金具２を嵌合することにより、釣り舟１０をロープに固定、保持し得る。
【産業上の利用可能性】
【００２０】
以上のように、本考案を釣り舟用固定具を利用することにより、掛け金具２をロープに掛けた上で、固定金具を釣り舟の縁に掛けて釣り舟をロープに固定、保持するもので、取り付けが極めて簡単であり、しかも取り付けた後は外れることなく釣り舟の移動等を完全に阻止し、安心して釣りを楽しむことができる。又、使用後の取り外しも簡単である。
【図面の簡単な説明】
【００２１】
【図１】本考案の釣り舟用固定具の実施例を示す図
【図２】上記実施例の釣り舟用固定具の使用例を示す図
【符号の説明】
【００２２】
１      掛け金具
２      固定金具
３      スプリング
【図１】
0003139106.tif 000003
【図２】
0003139106.tif 000004
(57)【要約】      （修正有） 【課題】適正に打撃しているか解り、壊れにくいゴルフ打撃練習器具を提供する。【解決手段】ゴルフボールに見立てた板状の被打撃体１に柄２を付け柄の他端の柄支持体部３の縦回転軸を中心に回転するようにしたゴルフ打撃練習器具において、被打撃体と柄が柄の長て方向軸６回りに回転傾斜するようにし、その回転傾斜で適正な打撃高さで打撃しているかを把握できるとともに、機構が簡単で壊れにくい利点がある。【選択図】図１
0003139187.tif 000002
【実用新案登録請求の範囲】
【請求項１】
ゴルフボールに見立てた板状の被打撃体に柄を付け柄の他端の柄支持体部の縦回転軸を中心に回転するようにしたゴルフ打撃練習器具において、被打撃体と柄が柄の長て方向軸回りに回転傾斜するように柄支持体部に横回転軸を付加し、被打撃体と柄が横回転軸回りに半固定で回転するようにすることを特徴とする打撃高さ点検機能を備えたゴルフ打撃練習器具。
【考案の詳細な説明】
【技術分野】
【０００１】
本考案はゴルフ打撃練習器具に関するものである。
【背景技術】
【０００２】
ゴルフ打撃練習器具には模擬ゴルフボールに柄を付け、柄の他端の柄支持体部の縦回転軸を中心に回転するようにしたものがある。また模擬ゴルフボールに替えて板状の被打撃体を付け、被打撃体が傾くようにして、その傾きからゴルフクラブヘッドの適正な打撃を点検する器具が考案されている。
【特許文献１】実用新案登録第３１３１７３８号
【考案の開示】
【考案が解決しようとする課題】
【０００３】
上記の模擬ゴルフボール使用の器具は模擬ゴルフボール中心高さにゴルフクラブヘッド中心高さが合って適正に打撃しているか解りにくい課題がある。また板状の被打撃体を傾くようにした器具では傾く機構があるため壊れやすい課題がある。
【課題を解決するための手段】
【０００４】
本考案はこれらの課題を解決するため、ゴルフボールに見立てた板状の被打撃体に柄を付け柄の他端の柄支持体部の縦回転軸を中心に回転するようにしたゴルフ打撃練習器具において、被打撃体と柄が柄の長て方向軸回りに回転傾斜するように柄支持体部に横回転軸を付加し、被打撃体と柄が横回転軸を中心に半固定で回転するようにする。
【０００５】
以上の構造により板状の被打撃体の上または下より部を打撃すると被打撃体は上または下回りに回転傾斜するとともにその状態を保持して柄支持体部の縦回転軸を中心に回転する。打撃後に被打撃板の傾きを見てゴルフクラブヘッドが上または下にずれた状態で打撃しているかを把握できる。
【考案の効果】
【０００６】
本考案の構造のゴルフ打撃練習器具はゴルフクラブヘッドの中心でゴルフボールを打撃するための練習に効果がある。また被打撃体付近は最も衝撃を受ける部であるが同付近にに機構や装置を備えていないため壊れにくい利点がある。
【考案を実施するための最良の形態】
【０００７】
添付図面において、被打撃体１、柄２、柄支持体３は一体構造にする。柄支持体３の内部に縦横回転軸受け４を組込む。横回転軸ねじ５は柄支持体３の側面穴を通して縦横回転軸受け４の横ねじ穴に締付ける。横回転軸ねじ５は柄支持体３を半固定で締付けて回転力が加わらないときは回転しないようにする。縦横回転軸受け４の縦穴には縦回転軸６を入れ自由回転構造にする。縦回転軸６は軸台７に固定する。軸台７は台８に固定する。
【０００８】
以上の構造でゴルフクラブヘッドが被打撃体１の上または下より部を打撃すると横回転軸ねじ５を回転中心として被打撃体１、柄２、柄支持体３が上または下方向に回転傾斜し、その状態を保持したまま被打撃体１、柄２、柄支持体３が縦回転軸６回りを回転する。この回転が停止後に被打撃体１の傾きを見てゴルフクラブヘッドが被打撃体１の上または下より部を打撃したかを把握できる。
【図面の簡単な説明】
【０００９】
【図１】本考案器具の正面図を示す。
【図２】本考案器具のの上面図を示す。
【図３】本考案器具の柄支持体３付近の右側面図を示す。一点鎖線は柄支持体３が左右に傾く状態を示す。
【符号の説明】
【００１０】
１  被打撃体
２  柄
３  柄支持体
４  縦横回転軸受け
５  横回転軸ねじ
６  縦回転軸
７  軸台
８  台
【図１】
0003139187.tif 000003
【図２】
0003139187.tif 000004
【図３】
0003139187.tif 000005
(57)【要約】【課題】小型化でき、変位入力軸のずれを生じたときでも、回転子のブレを殆ど生じない指針指示値の検出装置の提供【解決手段】この考案の指針指示値の検出装置は、指針１上の、指針回転軸２を中心とする半径方向の等間隔位置に、極性が異なる一対の磁石３Ｎ、３Ｓを設け、指針１の上方に、指針回転軸２と同軸になるように設けた変位入力軸４の下端に、指針１上の一対の磁石３Ｎ、３Ｓと極性が異なる磁石５Ｓ、５Ｎを垂直な位置に設け、該磁石５Ｓ、５Ｎと指針１上の磁石３Ｎ、３Ｓとの吸引力により、指針１と非接触の状態で追随回転する回転子６を軸着し、変位入力軸４の上端に回転子６の回転移動量を電気信号で出力するエンコンダー７を備えている。 【選択図】 図１
0003139155.tif 000002
【実用新案登録請求の範囲】
【請求項１】
計器の目盛り板上を移動する指針の指示値を非接触状態で検出するために前記計器に取り付ける検出装置であって、前記指針（１）上の、指針回転軸（２）を中心とする半径方向の等間隔位置に、極性が異なる一対の磁石（３Ｎ、３Ｓ）を設け、前記指針（１）の上方に、変位入力軸（４）を、前記指針回転軸（２）と同軸になるように設け、該変位入力軸（４）の下端に、前記指針（１）上の一対の磁石（３Ｎ、３Ｓ）と極性が異なる磁石（５Ｓ、５Ｎ）を垂直な位置に設け、該磁石（５Ｓ、５Ｎ）と前記指針（１）上の磁石（３Ｎ、３Ｓ）との吸引力により、前記指針（１）と非接触の状態で追随回転する回転子（６）を軸着し、前記変位入力軸（４）の上端に前記回転子（６）の回転移動量を電気信号で出力するエンコンダー（７）を備えていることを特徴とする指針指示値の検出装置
【考案の詳細な説明】
【技術分野】
【０００１】
本考案は指針指示値の検出装置に関するものである。
【背景技術】
【０００２】
この考案は出願人が考案し、すでに実用新案権（特許文献１）を取得している指針指示値の検出装置の改良に係るものである。従来のものは、エンコンダー側の磁石を水平に設置していたので、Ｓ極（本願では５Ｓに相当）とＮ極（本願では５Ｎに相当）間の離隔長が長くなり、小型化できないという問題点があった。また、変位入力軸のずれを起こしたときに、トルクが発生し、回転子がぶれるという問題点があった。
【０００３】
【特許文献１】実公平８−７５１８号公報
【考案の開示】
【考案が解決しようとする課題】
【０００４】
この考案は、背景技術で記述した問題点を解消するためになされたもので、小型化でき、変位入力軸のずれを生じたときでも、回転子のブレを殆ど生じない指針指示値の検出装置の提供を目的とするものである。
【課題を解決するための手段】
【０００５】
この考案の指針指示値の検出装置は、計器の目盛り板上を移動する指針の指示値を非接触状態で検出するために前記計器に取り付ける検出装置であって、前記指針上の、指針回転軸を中心とする半径方向の等間隔位置に、極性が異なる一対の磁石を設け、前記指針の上方に、変位入力軸を、前記指針回転軸と同軸になるように設け、該変位入力軸の下端に、前記指針上の一対の磁石と極性が異なる磁石を垂直な位置に設け、該磁石と前記指針上の磁石との吸引力により、前記指針と非接触の状態で追随回転する回転子を軸着し、前記変位入力軸の上端に前記回転子の回転移動量を電気信号で出力するエンコンダーを備えていることを特徴とするものである。
【考案の効果】
【０００６】
この考案は上述のように構成されているので、次のような効果を呈する。
（１）エンコンダー側の磁石を垂直に設置したので、Ｓ極（５Ｓ）とＮ極（５Ｎ）間の離隔長を短縮できたため、小型化が可能になった。
（２）変位入力軸のずれを起こしたときに、トルクが発生するが、Ｓ極（５Ｓ）とＮ極（５Ｎ）間の離隔長が短いので、トルクは等閑視できる程度になり、回転子のブレは殆ど生じなくなった。
【考案を実施するための最良の形態】
【０００７】
小型化でき、変位入力軸のずれを生じたときでも、回転子のブレを殆ど生じない指針指示値の検出装置の提供という目的を、エンコンダー側の磁石を垂直に設置することにより実現できた。
【実施例】
【０００８】
この考案の実施の一例を図面を参照しながら説明する。図１〜図２に示すように、計器の目盛り板上を移動する指針の指示値を非接触状態で検出するために前記計器に取り付ける検出装置であって、指針１上の、指針回転軸２を中心とする半径方向の等間隔位置に、極性が異なる一対の磁石３Ｎ、３Ｓを設けている。
【０００９】
指針１の上方に、変位入力軸４を、指針回転軸２と同軸になるように設け、該変位入力軸４の下端に、指針１上の一対の磁石３Ｎ、３Ｓと極性が異なる磁石５Ｓ、５Ｎを垂直な位置に設けている。
【００１０】
該磁石５Ｓ、５Ｎと指針１上の磁石３Ｎ、３Ｓとの吸引力により、指針１と非接触の状態で追随回転する透明なアクリル板からなる回転子６を軸着している。なお、軸着とは、変位入力軸４と同軸に回転するように、変位入力軸４と同軸に回転するエンコンダー７の下端に一体的に取り付けることをいう。
【００１１】
変位入力軸４の上端に回転子６の回転移動量を電気信号で出力するエンコンダー７を備えて構成している。
【００１２】
なお、図１において９は、計器であり、図１，２において、８は目盛板である。
【産業上の利用可能性】
【００１３】
構造が簡単で、組み立てが容易な、指針指示値の小型検出装置として利用できる。
【図面の簡単な説明】
【００１４】
【図１】考案の一実施例を示す部分断面図
【図２】図１のＡ−Ａ矢視図
【符号の説明】
【００１５】
１  指針
２  指針回転軸
３Ｎ  磁石のＮ極
３Ｓ  磁石のＳ極
４  変位入力軸
５Ｓ  磁石のＳ極
５Ｎ  磁石のＮ極 
６  回転子    
７  エンコンダー
８  目盛板
９  計器
【図１】
0003139155.tif 000003
【図２】
0003139155.tif 000004
(57)【要約】【課題】天井と家具上部間を建物の壁や天井の形状に対応し、なおかつそのスペースに置かれた物品を露出させず、見栄え良く収納することができる、家具上部収納装置を提供する。【解決手段】家具１の上端部と天井２との間に介装して家具の転倒を防止するつっぱり棒３と、つっぱり棒を覆うように家具上部前面側に開閉可能に取り付けたカーテン４とにより構成された家具上部収納装置。【選択図】  図１
0003139150.tif 000002
【実用新案登録請求の範囲】
【請求項１】
家具の上端部と天井との間に介装して家具の転倒を防止するつっぱり棒と、つっぱり棒を覆うように家具上部前面側に開閉可能に取り付けたカーテンとにより構成された、家具上部収納装置。
【考案の詳細な説明】
【技術分野】
【０００１】
本考案は、天井と家具上端部との間を収納スペースとして利用する家具上部収納装置に関する。
【背景技術】
【０００２】
従来の家具上部の利用方法は、そのスペースに物品がそのまま置かれ、あるいは既存製品である上置き棚を設置して利用されている(特許文献１参照)。
【特許文献１】特開２００７−１４３７６７号公報
【考案の開示】
【考案が解決しようとする課題】
【０００３】
しかし、建物の壁や天井の形状では既存製品の上置き棚が設置できない場合がある。
【０００４】
また、家具の転倒防止具をそのまま利用するか、あるいは家具固定金具等を利用しても、家具上部のスペースにはそのまま物品を置いておくので、物品が露出していて見栄えも悪く、有効利用されているとは言えない。
【課題を解決するための手段】
【０００５】
上記課題を解決するために、本考案が提供する家具上部収納装置は、家具の上端部と天井との間に介装して家具の転倒を防止するつっぱり棒と、つっぱり棒を覆うように家具上部前面側に開閉可能に取り付けたカーテンとにより構成されたものである。
【考案の効果】
【０００６】
家具の転倒防止具を利用することにより、家具を安全に設置できるとともに、カーテンもしくは扉で収納する物品の露出を防ぐことができる。
【考案を実施するための最良の形態】
【０００７】
以下図１、２に従ってこの考案を詳細に説明する。  
【０００８】
図において、１は家具、２は天井、３は家具１の転倒を防止するために天井２と家具１との間に装着したつっぱり棒である。つっぱり棒３は長さ調節可能なジャッキ形のものである。４はロールカーテンで、家具１の前面と面一となるように天井と家具の間に取り付けてある。このカーテン４は、収納物の出し入れに応じて開閉可能である。  
【図面の簡単な説明】
【０００９】
【図１】実施例の家具上部収納装置の斜視図
【図２】図１の要部拡大側面図
【符号の説明】
【００１０】
１  家具
２  天井
３  つっぱり棒
４  ロールカーテン
【図１】
0003139150.tif 000003
【図２】
0003139150.tif 000004
(57)【要約】【課題】ユーザが懐中電灯の残留電量、使用可能時間および懐中電灯の他の状態を把握可能であり、且つ構造が簡単な懐中電灯を提供すること。【解決手段】本体と、発光体と、カサ台と、底蓋と、を含む懐中電灯において、前記本体の内部には制御器が設けてあり、前記制御器は、前記本体に固定された液晶ディスプレーと電気的に連接しており、更に、電量測定回路と電気的に連接しており、そのＩＣ型番はMC68HC908LV8である。【選択図】図１
0003139162.tif 000002
【実用新案登録請求の範囲】
【請求項１】
本体と、発光体と、カサ台と、底蓋と、を含む懐中電灯において、
前記本体の内部には制御器が設けてあり、
前記制御器が前記本体に固定された液晶ディスプレーと電気的に連接していることを特徴とする、
懐中電灯。
【請求項２】
前記制御器は、更に、電量測定回路と電気的に連接していることを特徴とする、請求項１に記載の懐中電灯。
【請求項３】
前記制御器のＩＣ型番はMC68HC908LV8であることを特徴とする、請求項１に記載の懐中電灯。
【考案の詳細な説明】
【技術分野】
【０００１】
本考案は、懐中電灯に係り、特に、液晶ディスプレーを持つ懐中電灯に関するものである。
【背景技術】
【０００２】
現在、懐中電灯は日常生活においてよく見られる照明工具であり、暗い場所で懐中電灯を使用すると、対象物がハッキリ見えるようになる。
懐中電灯を使用することで、ユーザは暗い場所で色々な活動をすることが可能になる。
【０００３】
市販されている懐中電灯は、本体と、カサ台と、底蓋とから構成されるものである。前記本体の頂端の内部には発光ユニットが設けられている。前記発光ユニットの電源には電池を使用し、且つ前記発光ユニットのオン・オフがスイッチ部に制御される。
前記底蓋にて前記電池が前記本体内に締付けられ、前記発光ユニットを覆う前記カサ台は前記本体の頂端に締付けられる。
【０００４】
しかしながら、従来の懐中電灯は、照明効果を有するが、別の付加機能は一切ない。そのため、消費者の懐中電灯に対する多機能化の要求を満足することができない。
【考案の開示】
【考案が解決しようとする課題】
【０００５】
本考案の主な目的は、構造が簡単であると共に、多機能を有する懐中電灯を提供することにある。
【課題を解決するための手段】
【０００６】
上記目的を達成するためになされた本願の第１考案は、本体と、発光体と、カサ台と、底蓋と、を含む懐中電灯において、前記本体の内部には制御器が設けてあり、前記制御器が前記本体に固定された液晶ディスプレーと電気的に連接していることを特徴とする懐中電灯であることを要旨としている。
【０００７】
本願の第２考案では、前記制御器は、更に、電量測定回路と電気的に連接していることを特徴とする前記第１考案に記載の懐中電灯であることを要旨としている。
【０００８】
本願の第３考案では、前記制御器のＩＣ型番はMC68HC908LV8であることを特徴とする前記第１考案に記載の懐中電灯であることを要旨としている。
【考案の効果】
【０００９】
本考案の懐中電灯によれば、次のような効果がある。
（１）懐中電灯を使用しているときに、ユーザは残留電量、使用可能時間および懐中電灯の他の状態を把握可能である。
【００１０】
（２）構造が極めて簡単である。
【００１１】
（３）懐中電灯の本体に設けられたスイッチ部を切換えることにより、懐中電灯の本体の先端にある発光体の光度および点滅速度を調整可能であり、且つ液晶ディスプレーは発光体の使用状態を表示可能である。
【考案を実施するための最良の形態】
【００１２】
以下、添付図面を参照して本考案の好適な実施の形態を詳細に説明する。
【００１３】
まず、図１を参照する。本考案の懐中電灯は、本体１と、発光体２と、前記発光体２が組付けられたカサ台３と、底蓋と、を含み、前記本体１の内部には制御器が設けてあり、前記制御器が前記本体１に固定された液晶ディスプレー２と電気的に連接している。
【００１４】
また、図２を参照する。型番MC68HC908LV8である集積回路ＩＣ１は本考案の制御器であり、スイッチＳＷ１が図１におけるボタン１１に制御される。スイッチＳＷ１とＲ２８とＣ１６とは機能切換回路を構成する。ＬＣＤ１は液晶ディスプレーである。ＬＣＤ１と図４に示す回路とにより液晶ディスプレー回路を構成する。
図３に示すように、ＢＴ１は電池である。Ｕ１部分の抵抗器Ｒ１４、Ｒ６及びコンデンサーＣ３が電量測定回路を構成する。Ｕ２は電源安定化回路である。また、ＩＣ２の型番はHT7350であり、残る部分は発光体制御回路である。
【００１５】
このように、前記制御器の電量測定回路によれば、電池の残留電量を常時に測定可能である。
図３におけるコネクタcheck_vを図２におけるコネクタcheck_vに挿入すると、電池の残留電量が液晶ディスプレーに表示される。
そして電池の残留電量も使用可能時間に換算されて液晶ディスプレーに表示される。
また、ユーザが図１における懐中電灯の本体１にあるボタン１１を押圧すると、前記制御器の機能切換回路のスイッチＳＷ１が動作し、集積回路ＩＣ１が機能切換回路の信号を接収して、制御器が発光体制御回路によって懐中電灯の本体の先端の発光体１２の光度を切換える。
これにより、発光体１２は相違な光度および相違な点滅速度を切換え可能である。
機能切換回路で検知される切換状態が液晶ディスプレーに表示される。すなわち、液晶ディスプレーを見れば、発光体の発光状態を確認可能である。
また、ユーザが緊急状態を遭遇しているときには、本考案の懐中電灯の本体のボタンを押圧して、集積回路ＩＣ１が機能切換回路の信号を接収して、制御器が発光体制御回路によって懐中電灯の本体の先端の発光体１２の光度を強烈な光度に切換えると、相手を脅して阻む効果を達成することが可能である。
【００１６】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよい。
【図面の簡単な説明】
【００１７】
【図１】本考案の懐中電灯の実施例の外観斜視図である。
【図２】図１における制御器および液晶ディスプレーの回路図である。
【図３】図１における電源安定化回路、発光体制御回路、電量測定回路および電池の回路図である。
【図４】図２におけるＬＣＤ１の整合回路である。
【図５】図１の実施例のブロック図である。
【符号の説明】
【００１８】
１        本体
２        液晶ディスプレー
１１      ボタン
１２      発光体
ＬＣＤ１  液晶ディスプレー
ＩＣ１    集積回路
ＳＷ１    スイッチ
ＩＣ２    電源安定化集積回路
ＤＳ１    発光体
ＢＴ１    電池
【図１】
0003139162.tif 000003
【図２】
0003139162.tif 000004
【図３】
0003139162.tif 000005
【図４】
0003139162.tif 000006
【図５】
0003139162.tif 000007